(57)【特許請求の範囲】
【請求項１】
ボウル部と、
前記ボウル部の上部に設けられ、当該ボウル部内へのリム吐水を行うためのリム吐水口と、
前記ボウル部の底部に設けられ、当該ボウル部内へのゼット吐水を行うためのゼット吐水口と、
前記ボウル部に供給される洗浄水を貯水する貯水タンクと、
前記貯水タンクから前記リム吐水口に至るリム導水路と、
前記貯水タンクから前記リム導水路への前記洗浄水の供給を制御するためのリム導水路排水弁と、
前記貯水タンクから前記ゼット吐水口に至るゼット導水路と、
前記貯水タンクから前記ゼット導水路への前記洗浄水の供給を制御するためのゼット導水路排水弁と、
前記ゼット導水路排水弁の下流側において前記ゼット導水路から分岐された圧水逃がし管と、
前記圧水逃がし管の内部に設けられ、前記ゼット導水路からの分岐部から離れていく方向においては、所定のしきい値以下の圧力しか有しない水は通流させないが当該しきい値を超える圧力を有する圧水は通流させ、前記分岐部に向かう方向においては、常時水を通流させない、という圧水逃がし弁と、
を備え、
前記ゼット導水路は、前記貯水タンクから前記ゼット吐水口に至るまでの全領域において、外気に対して気密に構成されている
ことを特徴とする水洗式大便器。
【請求項２】
前記圧水逃がし管の少なくとも一部は、前記貯水タンクの内部を鉛直方向に延びており、
前記圧水逃がし管の前記分岐部とは反対側の端部は、外気に開放されている
ことを特徴とする請求項１に記載の水洗式大便器。
【請求項３】
前記ボウル部の上部に設けられ、当該ボウル部内へのリム吐水を行うためのリム吐水口と、
前記貯水タンクから前記リム吐水口に至るリム導水路と、
前記貯水タンクから前記リム導水路への前記洗浄水の供給を制御するためのリム導水路排水弁と、
を更に備え、
前記リム導水路は、前記貯水タンクから前記リム吐水口に至るまでの領域の一部において、外気に対して開放されており、
前記圧水逃がし管の前記分岐部とは反対側の端部は、前記リム導水路に接続されている
ことを特徴とする請求項１に記載の水洗式大便器。
【請求項４】
前記しきい値は、２５００Ｐａ〜４６００Ｐａの範囲内の値である
ことを特徴とする請求項１に記載の水洗式大便器。
【請求項５】
水洗式大便器のゼット吐水口に供給される洗浄水を貯水する貯水タンクと、
前記ゼット吐水口に接続されるための、前記貯水タンクから延出するゼット導水路と、
前記貯水タンクから前記ゼット導水路への前記洗浄水の供給を制御するためのゼット導水路排水弁と、
前記ゼット導水路排水弁の下流側において前記ゼット導水路から分岐された圧水逃がし管と、
前記圧水逃がし管の内部に設けられ、前記ゼット導水路からの分岐部から離れていく方向においては、所定のしきい値以下の圧力しか有しない水は通流させないが当該しきい値を超える圧力を有する圧水は通流させ、前記分岐部に向かう方向においては、常時水を通流させない、という圧水逃がし弁と、
を備え、
前記ゼット導水路は、前記貯水タンクから前記ゼット吐水口との接続部に至るまでの全領域において、外気に対して気密に構成されている
ことを特徴とする水洗式大便器用の洗浄水供給装置。
【発明の詳細な説明】
【技術分野】
【０００１】
本発明は、水洗式大便器に係り、特に、ボウル部の洗浄をするための洗浄水を貯水する貯水タンクと、ボウル部に貯水タンクから洗浄水を供給する吐出口と、を有する水洗式大便器に関する。
【背景技術】
【０００２】
ボウル部と、当該ボウル部に供給される洗浄水を貯水する貯水タンクと、を備えた水洗式大便器は、従来よりよく知られている。一般的には、ボウル部の底部に当該ボウル部内へのゼット吐水を行うためのゼット吐水口が設けられていて、貯水タンクからゼット吐水口に至るゼット導水路と、貯水タンクからゼット導水路への洗浄水の供給を制御するためのゼット導水路排水弁と、が更に設けられている。
【０００３】
また、貯水タンク内部において、ゼット導水路排水弁の下流に該当する位置からオーバーフロー管が略鉛直上方に延びている。オーバーフロー管は、貯水タンクへの給水機構が故障して貯水タンクへの給水が止まらなくなった場合に、貯水タンク内で水位が上がり過ぎた水をゼット導水路に排水して貯水タンクから水が溢れ出ることを防止する機能を有している。
【０００４】
また、近年においては、ボウル部の上部に当該ボウル部内へのリム吐水を行うためのリム吐水口が設けられていて、貯水タンクからリム吐水口に至るリム導水路と、貯水タンクからリム導水路への洗浄水の供給を制御するためのリム導水路排水弁と、が更に設けられている。
【先行技術文献】
【特許文献】
【０００５】
【特許文献１】ＵＳ  ２０１５  ／  ００１３０５７（米国特許公開公報）
【特許文献２】ＵＳ  ２０１５  ／  ００１３０５８（米国特許公開公報）
【特許文献３】特許第５１６４０１９号公報
【発明の概要】
【発明が解決しようとする課題】
【０００６】
ところで、近年においては、節水効果を高めるべく、十分な洗浄効果をより少ない量の洗浄水で実現することが所望されている。具体的には、１ガロン（３．８リットル）という数値が一つの目安となっている。
【０００７】
本件発明者は、このような少量の洗浄水の場合、洗浄水中に空気が混入していると洗浄効果が悪くなってしまうことを知見した。そこで、本件発明者は、洗浄水（特にはゼット吐水）中に空気を混入させないような構造について、鋭意検討を重ねてきた。その結果、ゼット導水路にオーバーフロー管のようなエア抜き構造を設けないこと、換言すれば、ゼット導水路を外気に対して気密に構成すること、が極めて有効であることを知見した。
【０００８】
しかしながら、ゼット導水路を外気に対して気密に構成してしまうと、いわゆるラバーカップを用いて排水機構の詰まり等を解消しようとする時に、ボウル部内の汚水が貯水タンクまで逆流してしまう可能性がある。一方で、貯水タンクの内部には様々な部品が配置されており、そこに汚水が入ってしまうと、清掃作業が極めて面倒である。
【０００９】
本発明は、以上のような問題に鑑みてなされたもので、その目的とするところは、ゼット導水路を外気に対して気密に構成しつつも、汚水が貯水タンクまで逆流してしまう可能性を顕著に低減できる水洗式大便器を提供することである。
【００１０】
なお、本件出願人によって実施された調査により、ゼット導水路を外気に対して気密に構成する構造については、特許文献１及び特許文献２に開示がある。
【課題を解決するための手段】
【００１１】
本発明は、ボウル部と、前記ボウル部の底部に設けられ、当該ボウル部内へのゼット吐水を行うためのゼット吐水口と、前記ボウル部に供給される洗浄水を貯水する貯水タンクと、前記貯水タンクから前記ゼット吐水口に至るゼット導水路と、前記貯水タンクから前記ゼット導水路への前記洗浄水の供給を制御するためのゼット導水路排水弁と、前記ゼット導水路排水弁の下流側において前記ゼット導水路から分岐された圧水逃がし管と、前記圧水逃がし管の内部に設けられ、前記ゼット導水路からの分岐部から離れていく方向においては、所定のしきい値以下の圧力しか有しない水は通流させないが当該しきい値を超える圧力を有する圧水は通流させ、前記分岐部に向かう方向においては、常時水を通流させない、という圧水逃がし弁と、を備え、前記ゼット導水路は、前記貯水タンクから前記ゼット吐水口に至るまでの全領域において、外気に対して気密に構成されていることを特徴とする水洗式大便器である。
【００１２】
本発明によれば、いわゆるラバーカップを用いて排水機構の詰まり等を解消しようとする時、ボウル部内の汚水が貯水タンクまで逆流することがないよう圧水逃がし弁を介して圧水逃がし管に当該汚水を逃がすことができる。すなわち、ゼット導水路を外気に対して気密に構成しつつも、汚水が貯水タンクまで逆流してしまう可能性を顕著に低減することができる。
【００１３】
前記圧水逃がし管の少なくとも一部は、前記貯水タンクの内部を鉛直方向に延びていて、前記圧水逃がし管の前記分岐部とは反対側の端部は、外気に開放されていることが好ましい。このような構成が採用される場合、従来のオーバーフロー管の構成を圧水逃がし管として流用することができて都合が良い。なお、圧水逃がし管は、逆流してきた汚水を受け止める部材であるため、清掃しやすい材料であることが好ましい。
【００１４】
あるいは、前記ボウル部の上部に設けられ当該ボウル部内へのリム吐水を行うためのリム吐水口と、前記貯水タンクから前記リム吐水口に至るリム導水路と、前記貯水タンクから前記リム導水路への前記洗浄水の供給を制御するためのリム導水路排水弁と、を更に備え、前記リム導水路は、前記貯水タンクから前記リム吐水口に至るまでの領域の一部において、外気に対して開放されており、前記圧水逃がし管の前記分岐部とは反対側の端部は、前記リム導水路に接続されていることが好ましい。
【００１５】
このような構成が採用される場合、リム導水路を圧水逃がし経路の一部として流用することができて都合が良い。逆流した汚水が圧水逃がし管及びリム導水路にて受け止められた後、リム導水路はリム吐水のための洗浄水の通流によって自動的に洗浄されるため、その点でも都合がよい。
【００１６】
なお、圧水逃がし弁のしきい値は、ゼット排水弁が不所望に開いてしまう逆流圧水の圧力値から適当なマージン値を差し引いた値が選択される。具体的には、２５００Ｐａ〜４６００Ｐａの範囲内の値である。
【発明の効果】
【００１７】
本発明によれば、いわゆるラバーカップを用いて排水機構の詰まり等を解消しようとする時、ボウル部内の汚水が貯水タンクまで逆流することがないよう圧水逃がし弁を介して圧水逃がし管に当該汚水を逃がすことができる。すなわち、ゼット導水路を外気に対して気密に構成しつつも、汚水が貯水タンクまで逆流してしまう可能性を顕著に低減することができる。
【図面の簡単な説明】
【００１８】
【図１】本発明の一実施形態による水洗式大便器の断面図である。
【図２】本実施形態による洗浄水タンクの内部を上方から見た平面図である。
【図３】図２のIII-III線に沿って見た洗浄水タンクの断面図である。
【図４】本実施形態によるリムタンクを示す斜視図である。
【図５】本実施形態によるリムタンクを側方から見た側面図である。
【図６】本実施形態によるリムタンクを上方から見た平面図である。
【図７】図６のVII-VII線に沿って見た断面図である。
【図８】図６のVIII-VIII線に沿って見た断面図である。
【図９】図６のIX-IX線に沿って見た断面図である。
【図１０】本発明の第２実施形態による洗浄水タンクの断面図である。
【図１１】本発明の第３実施形態による水洗式大便器の概略図である。
【図１２】本発明の第４実施形態による水洗式大便器の概略図である。
【発明を実施するための形態】
【００１９】
以下、添付図面を参照して、本発明の幾つかの実施形態による水洗式大便器の構造を説明する。
【００２０】
先ず、図１により、本発明の一実施形態による水洗式大便器の構造を説明する。図１は、本実施形態による水洗式大便器の断面図である。当該水洗式大便器の基本的な構成は、特許文献３に開示されたものと略同様である。
【００２１】
図１に示すように、本実施形態による水洗式大便器１は、陶器からなる便器本体２を有し、この便器本体２には、汚物を受けるボウル部４と、このボウル部４の底部から延びる排水トラップ管路６と、ゼット吐水を行うゼット吐水口８と、リム吐水を行うリム吐水口１０と、が形成されている。
【００２２】
ゼット吐水口８は、ボウル部４の底部に形成されており、排水トラップ管路６の入口に指向してほぼ水平に配置され、洗浄水を排水トラップ管路６に向けて吐水するようになっている。リム吐水口１０は、ボウル部４の左側上部後方に形成されており、ボウル部４の上縁に沿って洗浄水を吐出するようになっている。
【００２３】
排水トラップ管路６は、入口部６ａと、この入口部６ａから上昇するトラップ上昇管６ｂと、このトラップ上昇管６ｂから下降するトラップ下降管６ｃと、からなり、トラップ上昇管６ｂとトラップ下降管６ｃとの間が頂部６ｄとなっている。トラップ下降管６ｃの下端には配水管（図示せず）が接続されている。
【００２４】
ゼット吐水口８及びリム吐水口１０は、貯水タンク１２に接続され、貯水タンク１２内の洗浄水が、ゼット吐水口８及びリム吐水口１０から吐出されるようになっている。より詳細には、ゼット吐水口８は、ゼットタンク１４に接続され、ゼットタンク１４内の洗浄水が、ゼット吐出口１４ａ（図３参照）を介してゼット吐水口８に供給される。
【００２５】
また、リム吐水口１０は、後述するようにゼットタンク１４の内側に設けられたリムタンク１６に接続され、リムタンク１６内の洗浄水が、リム吐出口１６ａ（図３参照）を介してリム吐水口１０に供給される。ここで、リム吐出口１６ａからリム吐水口１０に至るまでのリム導水路の一部に、外気に対するエア抜き構造が設けられている（図１参照）。
【００２６】
また、本実施形態の水洗式大便器１は、導気通路２０をさらに備えている。この導気通路２０は、後述するようにリムタンク１６内に設けられ上端が大気開放されている導気管路２２と、便器本体２の内部に排水トラップ管路６の側面の一部分に沿って一体に形成された導気室２４と、によって構成されている。これらの導気通路２２及び導気室２４は、後述するようにリフィール水をボウル部４に供給するための補給水路を兼ねている。
【００２７】
さらに、排水トラップ管路６の入口部６ａには、導気孔２８が形成されており、排水トラップ管路６と導気室２４とを連通させている。
【００２８】
次に、図２及び図３により、本実施形態による貯水タンクの構造を説明する。図２は、本実施形態による貯水タンクの内部を上方から見た平面図であり、貯水タンクの蓋部を省略し、便器本体側が手前になるように示している。図３は、図２のIII-III線に沿って見た洗浄水タンクの断面図である。
【００２９】
図２及び図３に示すように、ゼットタンク１４の底面には、ゼット吐出口１４ａを開閉可能なゼット排水弁３０（ゼット導水路排水弁）が設けられている。このゼット排水弁３０は、玉鎖（図示せず）によって、洗浄操作レバー３２に連結された操作機構部３４に接続されている。そして、洗浄操作レバー３２を回すと、このゼット排水弁３０が引き上げられて所定時間ゼット吐出口１４ａが開放され、ゼットタンク１４内に収容されている洗浄水がゼット吐水口８に流れるようになっている。
【００３０】
ここで、本実施形態の貯水タンクにおいては、洗浄効果の更なる向上を図るべく、特許文献３に開示されたものとは異なり、ゼット吐水中に空気を混入させない構造が採用されている。具体的には、ゼット吐出口１４ａからゼット吐水口８に至るゼット導水路において、オーバーフロー管のようなエア抜き構造が設けられていない。すなわち、ゼット導水路が、外気に対して気密に構成されている。
【００３１】
一方で、図３に示すように、ゼット排水弁３０の下流側において、ゼット導水路から圧水逃がし管１４ｅが分岐されており、当該圧水逃がし管１４ｂの内部には、図３において図式的にのみ示された圧水逃がし弁１４ｖが設けられている。この圧水逃がし弁１４ｖは、ゼット導水路からの分岐部１４ｂから離れていく方向においては、所定のしきい値以下の圧力しか有しない水は通流させないが当該しきい値を超える圧力を有する圧水は通流させ、分岐部１４ｂに向かう方向においては、常時水を通流させない、という機能を有している。  ここで、圧水逃がし弁１４ｖのしきい値は、ゼット排水弁３０がラバーカップ使用時等の逆流水圧によって不所望に開いてしまう圧力値から適当なマージン値を差し引いた値であり（ゼット排水弁３０が開いてしまう前に圧水逃がし弁１４ｖが開くということ）、具体的には、２５００Ｐａ〜４６００Ｐａの範囲内の値である。
【００３２】
図３に示すように、本実施形態の圧水逃がし管１４ｅは、貯水タンク１２の内部を鉛直方向に延びており、圧水逃がし管１４ｅの分岐部１４ｂとは反対側の端部は、貯水タンク１２内の外気に開放されている。
【００３３】
また、リムタンク１６の底面には、リム吐出口１６ａを開閉可能なリム排水弁３６が設けられている。このリム排水弁３６も、ゼット排水弁３０と同様に、玉鎖（図示せず）によって、操作機構部３４に接続されている。そして、洗浄操作レバー３２を回すと、このリム排水弁３６が引き上げられて所定時間リム吐出口１６ａが開放され、リムタンク１６内に収容されている洗浄水がリム吐水口１０に流れるようになっている。
【００３４】
このように、本実施形態では、一度の操作でゼット排水弁３０とリム排水弁３６を開弁することができるように設定されている。
【００３５】
また、貯水タンク１２のゼットタンク１４内には、ボールタップ４０が設けられている。このボールタップ４０は、主にフロート４２及びダイアフラム弁４４を有しており。フロート４２の周囲の洗浄水の水位が下がると、フロート４２の位置も下方に下がり、そのように下がると、ダイアフラム弁４４を開放する。一方、フロート４２の周囲の洗浄水の水位が上がると、フロート４２が洗浄水に浮かんでその位置が上方に上がり、ダイアフラム弁４４を閉鎖する。
【００３６】
ここで、ダイアフラム弁４４には、止水栓４６を介して水道に接続された給水管４８が接続されている。給水管４８は、止水栓４６から洗浄水タンク１２の底部まで延びる第１部分４８ａと、ゼットタンク１４の底部からダイアフラム弁４４まで延びる第２部分４８ｂと、ダイアフラム弁４４からリムタンク１６への給水口４８ｃまで延びる第３部分４８ｄと、で構成されている。そして、ダイアフラム弁４４が開放されると、洗浄水が給水口４８ｃからリムタンク１６内に供給され、ダイアフラム弁４４が閉鎖されると、洗浄水のリムタンク１６への供給が止まるようになっている。
【００３７】
リムタンク１６内には、上述したように導気管路２２が設けられている。この導気管路２２は、リフィール水をボウル部４に供給するための補給水路を兼ねている。即ち、リムタンク１６内に給水管４８から洗浄水が供給されると、リムタンク１６内の洗浄水の水位が上昇し、その水位が補給水路２２の図３のＬ０で示す上端部まで来ると、その補給水路２２に洗浄水が流れ込み、この流れ込んだ洗浄水がリフィール水としてボウル部４に供給される。
【００３８】
さて、便器本体１の洗浄が行われ、ゼットタンク１４内及びリムタンク１６内の洗浄水がＤＷＬ（デッドウォーターライン）まで下がると、ゼット排水弁３０及びリム排水弁３６が閉じ、給水管４８の給水口４８ｃからリムタンク１６内への洗浄水の供給が始まる。そして、本実施形態では、リムタンク１６内の洗浄水が図３でＬ０で示すラインまで上昇すると、上述したように補給水路２２に洗浄水が流れ込むと同時に、同じくラインＬ０が下縁部となっているゼットタンク洗浄水供給口５０から、ゼットタンク導水路５２を介して、ゼットタンク１４への給水が開始されるようになっている。そして、ゼットタンク１４内の洗浄水の水位が上昇し、ボールタップ４０のフロート４２が上昇して所定水位に達すると、ダイアフラム弁４４が閉じられて、給水管４８の給水口４８ｃからリムタンク１６内への洗浄水の供給が終わる。
【００３９】
ここで、図４乃至図７により、本実施形態による、ゼットタンク洗浄水供給口５０及びゼットタンク導水路５２の構成を説明する。図４は、本実施形態によるリムタンクを示す斜視図であり、図５は、本実施形態によるリムタンクを側方から見た側面図であり、図６は、本実施形態によるリムタンクを上方から見た平面図であり、図７は、図６のVII-VII線に沿って見た断面図であり、図８は、図６のVIII-VIII線に沿って見た断面図であり、図９は、図６のIX-IX線に沿って見た断面図である。
【００４０】
図４に示すように、リムタンク１６には、その周縁部の一部が切り欠かれてゼットタンク洗浄水給水口５０が形成されている。図４及び図５に示すように、このゼットタンク洗浄水給水口５０は、側面視でほぼ矩形状に切り欠かれており、その空間の下縁部５０ａが、図３でＬ０で示すラインの位置にある。この下縁部は、リムタンク１６の他の周囲の周縁部よりも低い位置にあるため、リムタンク１６内の洗浄水が図３でＬ０で示すラインまで上昇すると、当該洗浄水はこのゼットタンク洗浄水給水口５０から溢れ出る。これにより、ゼットタンク１４への給水が行われるようになっている。
【００４１】
また、図４及び図６に示すように、ゼットタンク洗浄水給水口５０は、平面視で、リムタンク１６の周縁部から、リムタンク１６の内方に向かって凹状になるように形成されている。本実施形態では、その凹状の部分５０ｂが、ほぼ矩形状に形成されている。なお、凹状の形状として、半円形や半楕円などの他の形状でも良い。
【００４２】
次に、ゼットタンク洗浄水給水口５０は、図４及び図６に示すように、その角部５０ｄが平面視でＲ形状に形成された矩形形状を有している。また、図４、図６乃至図９に示すように、ゼットタンク洗浄水給水口５０は、その下端部が、側方且つ斜め上方に向けて突出した湾曲形状の曲面５０ｅで構成されている。この曲面５０ｅは、その断面が円弧状に形成されている。
【００４３】
このように、湾曲形状の曲面５０ｅが設けられることにより、ゼットタンク洗浄水給水口５０から溢れ出た洗浄水は、その粘性或いは表面張力により、その湾曲形状の曲面５０ｅから離れることなく、そして、その曲面５０ｅに連続的に接続されたゼットタンク導水路５２から離れることなく、ゼットタンク導水路５２を伝って下方まで流れる。
【００４４】
次に、ゼットタンク洗浄水給水口５０の下端部５０ｃより下方には、ゼットタンク導水路５２が形成されている。このゼットタンク導水路５２は、ゼットタンク洗浄水供給口の平面視で凹状に形成された部分５０ｂが下方に向かって延ばされて構成されている。このゼットタンク導水路５２は、リムタンク１６の外壁に沿って下方に延びている。ゼットタンク洗浄水給水口５０から溢れ出た洗浄水は、その粘性或いは表面張力により、ゼットタンク導水路５２から離れることなく、ゼットタンク導水路５２を伝って下方まで流れるようになっている。そして、ゼットタンク導水路５２の下端はゼットタンク１４に貯留された洗浄水の排水後の残留水位（ＤＷＬ）より下方に位置している。従って、リムタンク１６から溢れ出た洗浄水は、ゼットタンク１４内の洗浄水に滑らかに着水するようになる。
【００４５】
本実施形態では、リムタンク１６が樹脂製で、ゼットタンク１４が陶器製である。このような組み合わせが好ましいが、リムタンクが陶器製で、リムタンクとゼットタンクが一体で形成されても良い。また、本実施形態では、ゼットタンク洗浄水給水口５０が、補給水路（導気管路）２２の近傍に設けられている。従って、リムタンク１６のゼットタンク１４への取付位置に誤差が生じても、上述したように、補給水路２２への洗浄水の流れ込みと、ゼットタンク洗浄水供給口５０からゼットタンク１４への給水とが、ほぼ同時に開始される。
【００４６】
この際、補給水路２２からのリフィール水の水量と、ゼットタンク洗浄水給水口５０からの洗浄水のゼットタンク１４への水量との比は、０．３〜０．４５の範囲である。例えば、リフィール水の水量が１．７（リットル）であり、ゼットタンク洗浄水給水口５０からの水量が４．７（リットル）である。
【００４７】
次に、本実施形態の作用効果を説明する。
【００４８】
先ず、本実施形態では、リムタンク１６はゼットタンク１４の内側に配置され、このリムタンク１６には給水管４８から洗浄水が供給されるようになっている。リムタンク１６には、このリムタンク１６から洗浄水を溢れ出させてゼットタンク１４にその洗浄水を供給するためのゼットタンク洗浄水供給口５０が設けられている。ゼットタンク洗浄水供給口５０にはゼットタンク１４へ洗浄水を導くほぼリムタンク１６の外壁に沿って延びるゼットタンク導水路５２が接続され、この導水路５２の下端はゼットタンク１４に貯留された洗浄水の排水後の残留水位（ＤＷＬ）より下方に位置している。
【００４９】
このような構成によれば、ゼットタンク洗浄水供給口５０からゼットタンク導水路５２へと洗浄水が流れ、そのリムタンク１６から溢れ出した洗浄水は、その粘性或いは表面張力により導水路５２に沿って且つ導水路５２から離れることなくゼットタンク１４の底部へ向かって下降していく。
【００５０】
そして、導水路５２の下端は、ゼットタンク１４に貯留された洗浄水の排水後の残留水位（ＤＷＬ）より下方に位置しているので、リムタンク１６から溢れ出た洗浄水は、ゼットタンク１４の水面に「バシャバシャ」というような水はね音を立てて落ちるのではなく、ゼットタンク１４内の洗浄水に滑らかに着水するようになる。従って、洗浄水がタンク内の洗浄水の水面を直接叩くことなく、ゼットタンク１４へのリムタンク１６からの洗浄水の着水音を抑制して、ゼットタンク１４へ貯水させることが出来る。
【００５１】
また、ゼットタンク導水路５２は、ほぼリムタンク１６の外壁に沿って延びるので、ゼットタンク１４内で幅方向のスペースをほとんどとることがない。従って、省スペースで、洗浄水がタンク内の洗浄水の水面を直接叩くことなく貯水させることが出来る。
【００５２】
次に、ゼットタンク洗浄水供給口５０は、側面視でゼットタンク１４の上縁部から下方に凹状に切り欠かれて形成されると共に平面視でリムタンク１６の内方に向かって凹状になるように形成されている。ゼットタンク導水路５２はゼットタンク洗浄水供給口５０の平面視で凹状に形成された部分が下方に向かって延ばされて構成されている。従って、リムタンク１６の水が、ゼットタンク洗浄水給水口５０に滑らかに溢れ出すことが出来る。
【００５３】
次に、ゼットタンク洗浄水給水口５０は、その角部５０ｄが平面視でＲ形状に形成された矩形形状を有しているので、リムタンク１６の水が、ゼットタンク洗浄水給水口５０に滑らかに溢れ出すことが出来る。
【００５４】
次に、ゼットタンク洗浄水供給口５０は、側方且つ斜め上方に向けて突出した湾曲形状の曲面５０ｅで構成されている。また、ゼットタンク洗浄水供給口５０は、その断面が曲線形状を有する曲面状に形成されている。従って、リムタンク１６の水がゼットタンク洗浄水給水口５０から溢れ出す際、洗浄水が飛び散ったりすることなく、粘性或いは表面張力によりその曲面５０ｅに沿って滑らかに溢れ出すことが出来る。さらに、この湾曲形状の曲面５０ｅの断面がＲ形状に形成されているので、より確実に、リムタンク１６の洗浄水がゼットタンク洗浄水給水口５０から曲面５０ｅに沿って滑らかに溢れ出すようにすることが出来る。
【００５５】
次に、リムタンク１６はゼットタンク１４の内側に配置され、このリムタンク１６には給水管４８から洗浄水が供給され、この洗浄水はゼットタンク１４の洗浄水の水位が所定水位を超えたときに止水されるようになっている。リムタンク１６には、便器本体１のボウル部４にリフィール水を供給するための補給水管２２と、リムタンク１６から洗浄水を溢れ出させてゼットタンク１４にその洗浄水を供給するためのゼットタンク洗浄水供給口５０と、が設けられている。給水管４８からリムタンク１６へ洗浄水が供給されこのリムタンク１６の洗浄水の水位が所定水位を超えると、補給水管２２からボウル部４にリフィール水が給水されると共に、ゼットタンク洗浄水供給口５０からゼットタンク１４に洗浄水が供給されるようになっている。
【００５６】
従って、補給水管２２からの溢水によりリフィール水を供給することが出来、従来のような給水弁とオーバーフロー管を連通した補給水管構造が不要である。従って、リムタンク１６内の部品配置を簡素化でき、リムタンク１６内にスペースを生み出すことが出来る。また、補給水管２２に給水管４８が直接に接続されていないため、リフィール水を供給する際、給水管４８の給水圧力による変動を受け難く、補助水管２２から給水される補助水量をほぼ一定に保つことが出来る。また、補助水管２２とゼットタンク洗浄水供給口５０とが、洗浄水タンク平面視（図２参照）において中心線で左右２分割した一方に集約され、すなわち、互いに近い位置に配置されているので、ゼットタンクへのリムタンクの取付位置に誤差が生じても、リフィール水供給量とゼットタンク１４への洗浄水供給量とを精度良く調整することが出来る。
【００５７】
以上のような本実施形態の水洗式大便器１によれば、導気通路２０を補給水管２２として利用しているため、便器本体２にリフィール水用の通路を新たに設ける必要がなく、スペースを有効活用することが出来る。また、便器本体２に複数の通路を設ける構成にしなくて良いため、便器本体２の製造コストを削減することが出来る。
【００５８】
また、従来の細管によるリフィール給水は、径が小さく給水圧によって絞り音がしていたが、本実施形態によれば、補給水管からあふれ出すことによるリフィール給水のため、絞り音が低減される。
【００５９】
また、本実施形態によれば、補給水路２２に洗浄水が流れ込むと同時にゼットタンク洗浄水供給口５０からゼットタンク１４への給水が開始されるようになっているので、それぞれの水量の調節を精度良く行うことが出来る。
【００６０】
そして、本実施形態の水洗式大便器によれば、特許文献３に開示されたものとは異なり、ゼット吐水中に空気を混入させない構造が採用されたことにより、１回のゼット吐水の水量を１ガロン（３．８リットル）程度に低減させても十分な洗浄効果を発揮できることが確認された。
【００６１】
一方、本実施形態の水洗式大便器において、いわゆるラバーカップを用いて排水機構の詰まり等を解消しようとする時でも、ゼット排水弁３０が逆流水圧によって不所望に開いてしまう前に圧水逃がし弁１４ｖを介して逆流水が圧水逃がし管１４ｅへと逃がされるため、汚水が貯水タンクまで逆流してしまう可能性は顕著に低減されている。すなわち、ボウル部４内の汚水がゼットタンク１４内まで逆流して、タンク内部の様々な部品が汚れてしまうという可能性が顕著に低減されている。
【００６２】
次に、図１０により本発明の第２実施形態による水洗式大便器の洗浄水タンク構造を説明する。図１０に示すように、本実施形態においては、圧水逃がし管１４ｅの分岐部１４ｂとは反対側の端部がリム導水路に接続されている。本実施形態のその他の構成については、前記実施形態と同様である。
【００６３】
本実施形態の水洗式大便器によっても、特許文献３に開示されたものとは異なり、ゼット吐水中に空気を混入させない構造が採用されたことにより、１回のゼット吐水の水量を１ガロン（３．８リットル）程度に低減させても十分な洗浄効果を発揮できることが確認された。
【００６４】
一方、本実施形態の水洗式大便器において、いわゆるラバーカップを用いて排水機構の詰まり等を解消しようとする時でも、ゼット排水弁３０が逆流水圧によって不所望に開いてしまう前に圧水逃がし弁１４ｖを介して逆流水が圧水逃がし管１４ｅへと逃がされるため、汚水が貯水タンクまで逆流してしまう可能性は顕著に低減されている。すなわち、ボウル部内の汚水がゼットタンク１４内まで逆流して、タンク内部の様々な部品が汚れてしまうという可能性が顕著に低減されている。
【００６５】
また、本実施形態によれば、リム導水路を圧水逃がし経路の一部として流用することができて、都合が良い。さらに、逆流した汚水が圧水逃がし管及びリム導水路にて受け止められた後、リム導水路はリム吐水のための洗浄水の通流によって自動的に洗浄されるため、その点でも都合がよい。
【００６６】
なお、前述した２つの実施形態は、貯水タンク１２とボウル部４とが一体になった一体型の水洗式大便器であるが、ボウル部の上方に別体の貯水タンクが配置された従来型の水洗式大便器においても本発明は適用可能である。また、前記した２つの実施形態では、ゼット排水弁３０の配置高さとリム排水弁３６の配置高さとに段差が設けられているが、両者の配置高さが同一であるタイプの水洗式大便器においても本発明は適用可能である。
【００６７】
ボウル部の上方に別体の貯水タンクが配置され、ゼット排水弁の配置高さとリム排水弁の配置高さとが同一であるタイプの水洗式大便器に対する本発明の適用例として、本発明の第３実施形態による水洗式大便器１０１の概略図を図１１に示す。
【００６８】
図１１に示すように、ゼット排水弁１３０の下流側において、ゼット導水路から圧水逃がし管１１４ｅが分岐されており、当該圧水逃がし管１１４ｅの内部に、圧水逃がし弁１１４ｖが設けられている。この圧水逃がし弁１１４ｖは、ゼット導水路からの分岐部１１４ｂから離れていく方向においては、所定のしきい値以下の圧力しか有しない水は通流させないが当該しきい値を超える圧力を有する圧水は通流させ、分岐部１１４ｂに向かう方向においては、常時水を通流させない、という機能を有している。
【００６９】
ここで、圧水逃がし弁１１４ｖのしきい値は、ゼット排水弁１３０がラバーカップ使用時等の逆流水圧によって不所望に開いてしまう圧力値から適当なマージン値を差し引いた値であり（ゼット排水弁１３０が開いてしまう前に圧水逃がし弁１１４ｖが開くということ）、具体的には、２５００Ｐａ〜４６００Ｐａの範囲内の値である。
【００７０】
図１１に示すように、本実施形態の圧水逃がし管１１４ｅは、貯水タンク１１２の内部を鉛直方向に延びており、圧水逃がし管１１４ｅの分岐部１１４ｂとは反対側の端部は、貯水タンク１１２内の外気に開放されている。
また、貯水タンク１１２の底面には、リム吐出口を開閉可能なリム排水弁１３６が設けられている。そして、リム吐出口からリム吐水口１１０に至るリム導水路において、オーバーフロー管１１６ｅが設けられている。
【００７１】
一方、ゼット吐出口からゼット吐水口１０８に至るゼット導水路においては、オーバーフロー管のようなエア抜き構造が設けられていない。すなわち、ゼット導水路は、外気に対して気密に構成されている。
【００７２】
以上のような本実施形態の水洗式大便器１０１によっても、ゼット吐水中に空気が混入することが顕著に抑制され、１回のゼット吐水の水量を１ガロン（３．８リットル）程度に低減させても十分な洗浄効果を発揮できる。
【００７３】
そして、本実施形態の水洗式大便器１０１において、いわゆるラバーカップを用いて排水機構の詰まり等を解消しようとする時でも、ゼット排水弁１３０が逆流水圧によって不所望に開いてしまう前に圧水逃がし弁１１４ｖを介して逆流水が圧水逃がし管１１４ｅへと逃がされるため、汚水が貯水タンクまで逆流してしまう可能性は顕著に低減されている。すなわち、ボウル部内の汚水が貯水タンク１１２内まで逆流して、タンク内部の様々な部品が汚れてしまうという可能性が顕著に低減されている。
【００７４】
次に、図１２により本発明の第４実施形態による水洗式大便器１０１’の概略構造を説明する。図１２に示すように、本実施形態の圧水逃がし管１１４ｅ’の分岐部１１４ｂとは反対側の端部は、リム導水路に接続されている。本実施形態のその他の構成については、前記第３実施形態と同様である。
【００７５】
本実施形態の水洗式大便器１０１’によっても、ゼット吐水中に空気が混入することが顕著に抑制され、１回のゼット吐水の水量を１ガロン（３．８リットル）程度に低減させても十分な洗浄効果を発揮できる。
【００７６】
そして、本実施形態の水洗式大便器１０１’において、いわゆるラバーカップを用いて排水機構の詰まり等を解消しようとする時でも、ゼット排水弁１３０が逆流水圧によって不所望に開いてしまう前に圧水逃がし弁１１４ｖを介して逆流水が圧水逃がし管１１４ｅ’へと逃がされるため、汚水が貯水タンクまで逆流してしまう可能性は顕著に低減されている。すなわち、ボウル部内の汚水がゼットタンク１１４内まで逆流して、タンク内部の様々な部品が汚れてしまうという可能性が顕著に低減されている。
【００７７】
また、本実施形態によれば、リム導水路を圧水逃がし経路の一部として流用することができて、都合が良い。さらに、逆流した汚水が圧水逃がし管１１４ｅ’及びリム導水路にて受け止められた後、リム導水路はリム吐水のための洗浄水の通流によって自動的に清掃されるため、その点でも都合がよい。
【符号の説明】
【００７８】
１  水洗式大便器
２  便器本体
４  ボウル部
６  排水トラップ管路
８  ゼット吐水口
１０ リム吐水口
１２  洗浄水タンク
１４  ゼットタンク
１４ｂ  分岐部
１４ｅ  圧力逃がし管
１４ｖ  圧力逃がし弁
１６  リムタンク
２０  導気通路（補給水路）
２２  導気管路（補給水路）
２４  導気室（補給水路）
３０  ゼット排水弁
３６  リム排水弁
４０  ボールタップ
４８  給水管
５０  ゼットタンク洗浄水供給口
５０ｅ  湾曲形状の曲面
５２  ゼットタンク導水路
１０１，１０１’  水洗式大便器
１０８  ゼット吐水口
１１０  リム吐水口
１１２  貯水タンク
１１４ｂ  分岐部
１１４ｅ，１１４ｅ’  圧力逃がし管
１１４ｖ  圧力逃がし弁
１３０  ゼット排水弁
１３６  リム排水弁
【図１】
0006617877.tif 000002
【図２】
0006617877.tif 000003
【図３】
0006617877.tif 000004
【図４】
0006617877.tif 000005
【図５】
0006617877.tif 000006
【図６】
0006617877.tif 000007
【図７】
0006617877.tif 000008
【図８】
0006617877.tif 000009
【図９】
0006617877.tif 000010
【図１０】
0006617877.tif 000011
【図１１】
0006617877.tif 000012
【図１２】
0006617877.tif 000013